(57)【要約】      （修正有）【課題】間接照明機能を付加するに際して部品点数の増加を抑制可能な照明装置を提供する。【解決手段】照明装置は、正面側に直接光を照射する複数の第１発光素子１３からなる第１発光部と、この第１発光部が取り付けられる支持本体１０と、この支持本体１０の裏面側に取り付けられ、裏面側に間接光を照射する複数の第２発光素子からなる第２発光部と、を備える。【選択図】図５
0003234849.tif 000002
【実用新案登録請求の範囲】
【請求項１】
正面側に直接光を照射する複数の第１発光素子からなる第１発光部と、
この第１発光部が取り付けられる支持本体と、
この支持本体の裏面側に取り付けられ、裏面側に間接光を照射する複数の第２発光素子からなる第２発光部と、を備えたことを特徴とする照明装置。
【請求項２】
前記支持本体は、中央部に穴を有するリング状に形成され、
前記中央部に配置される送風器と、
前記送風器の正面側に設けられるカバー部と、
前記カバー部に設けられ、裏面側に間接光を照射する複数の第３発光素子からなる第３発光部と、を備えたことを特徴とする請求項１に記載の照明装置。
【請求項３】
前記第２発光素子の配置個数は、前記第１発光素子の配置個数よりも少ないことを特徴とする請求項１又は２に記載の照明装置。
【請求項４】
前記第１発光部を覆い透光性を有するリング状の第１発光部カバーと、
前記第２発光部を覆い透光性を有するリング状の第２発光部カバーと、を備え、
前記第２発光部カバーの幅は、第１発光部カバーの幅よりも小さいことを特徴とする請求項２に記載の照明装置。
【請求項５】
前記第２発光部カバーは、複数のカバー部材が円周方向に沿って配置されることで、全体としてリング状に形成されることを特徴とする請求項４に記載の照明装置。
【考案の詳細な説明】
【技術分野】
【０００１】
本考案は、間接照明機能を有する照明装置に関する。
【背景技術】
【０００２】
シーリングライト等の照明装置は、その照明光が床面に向けて照射される直接光により室内を照明するものである。この直接光に加えて、照明光を天井側に向けて照射する間接光により室内を照明する照明装置も知られており、これにより、温かみがあり落ち着いた雰囲気を醸し出している。
【０００３】
かかる照明装置として、下記特許文献１に開示される照明器具がある。この照明器具は、天井面に取り付けられるものであり、直接照明用光源の他に、器具本体（支持本体）に保持されて天井面へ光を放射する間接照明用光源を備えている。この間接照明用光源は、器具本体に取り付けられるのではなく、器具本体とは別の枠体に取り付けられている。枠体は器具本体の外周部に支持されるものである。
【先行技術文献】
【特許文献】
【０００４】
【特許文献１】特許第４７７９６８５号
【考案の概要】
【考案が解決しようとする課題】
【０００５】
しかしながら、間接照明用光源を取り付けるための枠体をわざわざ設けているので部品点数も増えて組み立て工数も煩雑になる。
【０００６】
本考案は上記実情に鑑みてなされたものであり、その課題は、間接照明機能を付加するに際して部品点数の増加を抑制可能な照明装置を提供することである。
【課題を解決するための手段】
【０００７】
上記課題を解決するため本考案に係る照明装置は、
正面側に直接光を照射する複数の第１発光素子からなる第１発光部と、
この第１発光部が取り付けられる支持本体と、
この支持本体の裏面側に取り付けられ、裏面側に間接光を照射する複数の第２発光素子からなる第２発光部と、を備えたことを特徴とするものである。
【０００８】
かかる構成による照明装置の作用・効果を説明する。この照明装置は、直接光を照射する複数の第１発光素子からなる第１発光部と、間接光を照射する複数の第２発光素子からなる第２発光部とを備えている。また、これらの第１発光部と第２発光部は、同じ支持本体に取り付けられている。また、第１発光部は支持本体の正面側に取り付けられ、第２発光部は支持本体の裏面側に取り付けられる。従って、第２発光部を取り付けるための専用の部品はない。従って、間接照明機能を付加するに際して部品点数の増加を抑制可能な照明装置を提供することができる。
【０００９】
本考案に係る前記支持本体は、中央部に穴を有するリング状に形成され、
前記中央部に配置される送風器と、前記送風器の正面側に設けられるカバー部と、前記カバー部に設けられ、裏面側に間接光を照射する複数の第３発光素子からなる第３発光部と、を備えたことが好ましい。
【００１０】
この照明装置は、送風器の機能も備えており、かかる照明装置の場合は、さらに間接光を照射する第３発光部を備えることで、間接照明の効果を高めることができる。
【００１１】
本考案において、前記第２発光素子の配置個数は、前記第１発光素子の配置個数よりも少ないことが好ましい。
【００１２】
これにより、直接光よりも間接光の照度を抑制して、間接照明の効果を高めることができる。
【００１３】
本考案において、前記第１発光部を覆い透光性を有するリング状の第１発光部カバーと、
前記第２発光部を覆い透光性を有するリング状の第２発光部カバーと、を備え、
前記第２発光部カバーの幅は、第１発光部カバーの幅よりも小さいことが好ましい。
【００１４】
第２発光部は、支持本体の裏面側に配置され、下方からは見えないので、必要最小限の大きさの第２発光部カバーとすることができる。
【００１５】
本考案に係る前記第２発光部カバーは、複数のカバー部材が円周方向に沿って配置されることで、全体としてリング状に形成されることが好ましい。
【００１６】
かかる構成により、カバー部材の大きさを小さくすることができ、組立時などの取り扱いが容易になる。
【図面の簡単な説明】
【００１７】
【図１】本実施形態に係る照明装置の正面図
【図２】照明装置の背面図
【図３】背面側からみた照明装置の外観斜視図
【図４】照明装置の側面図
【図５】図１のＡ−Ａ断面図で
【図６】第２発光部カバーを外した状態の背面図
【図７】第１発光部カバーを外した状態の正面図
【図８】図４のＢ−Ｂ断面図
【考案を実施するための形態】
【００１８】
本考案に係る照明装置の好適な実施形態を図面を用いて説明する。本実施形態に係る照明装置は、いわゆるシーリングファンと呼ばれるものであり、照明機能のほかに送風機能も有している。図１は、照明装置の正面図である。図２は、背面図である。図３は、背面側（天井側）からみた外観斜視図である。図４は、側面図である。図５は、図１のＡ−Ａ断面図である。図６は、第２発光部カバーを外した状態の背面図である。図７は、第１発光部カバーを外した状態の正面図である。図８は、図４のＢ−Ｂ断面図である。なお、説明の便宜上、照明装置の正面側は、床面の方向であり、裏面側は照明装置が取り付けられる天井側と定義する。
【００１９】
照明装置は、照明部１と送風器２を有する。送風器２は、中央部に配置され、照明部１は送風器２の周囲に配置され、正面視でリング状に形成されている。照明部１は、リング状の支持本体１０と第１発光部カバー１１を有する。支持本体１０は、金属製であり後述のように表裏両面にＬＥＤ基板が搭載される。
【００２０】
図５に示すように、支持本体１０の正面側には透光性を有する第１発光部カバー１１が設けられる。支持本体１０と第１発光部カバー１１で囲まれる空間に第１発光部が設けられる。
【００２１】
図７は、第１発光部カバー１１を取り外した状態である。支持本体１０の正面側には、複数のＬＥＤ基板１２がリング状に配置されており、支持本体１０に取り付けられる。ＬＥＤ基板１２の上には複数の第１発光素子１３が設けられている。第１発光素子１３は、ＬＥＤチップとチップを覆うレンズ部材により構成される。第１発光素子１３はリング状に配置される。図７において、４つのＬＥＤ基板１２が設けられており、基板同士はリード線あるいはコネクターにより電気的及び機械的に接続される。接続箇所には安全のためカバー部材１４が設けられている。上記の第１発光素子１３、ＬＥＤ基板１２は第１発光部に相当する。
【００２２】
ＬＥＤ基板１２の裏面が直接支持本体１０に当接するように取り付けられており、これにより、放熱効果を高めている。ＬＥＤ基板１２は、ネジ等の機械的手段により、支持本体１０に固定される。なお、ＬＥＤ基板１２の裏面にスペーサー等の部材を介して取り付けてもよい。
【００２３】
支持本体１０の外周に沿って３つの取り付け金具１５が設けられており、第１発光部カバー１１が着脱自在に取り付けられる。取り付け金具１５の構成は周知の構成である。
【００２４】
なお、第１発光部の構成は上記に限定されるものではない。第１発光素子１３の配置態様や配置個数、ＬＥＤ基板１２の形状や配置個数等、適宜設計変更が可能である。
【００２５】
図３に示すように、支持本体１０の裏面側に複数の第２発光部カバー４２がリング状に取り付けられている。図６は、第２発光部カバー４２をすべて取り外した状態を示す。円周方向に配置されており、各ＬＥＤ基板４０の上に２つの第２発光素子４１が搭載されている。第２発光素子４１自体は、第１発光素子１３と同じものを使用することができる。第２発光素子４１の照明光の照射方向は天井側である。これらＬＥＤ基板４０と第２発光素子４１は、第２発光部に相当する。
【００２６】
第２発光素子４１の個数は第１発光素子１３の個数よりも少なくなっている。第２発光素子４１は、間接照明に用いるものであり、温かみがあり落ち着いた雰囲気を醸し出す目的であるので、第１発光素子１３ほどの個数は必要ない。
【００２７】
第２発光部カバー４２は、ＬＥＤ基板４０の配置個数と同じ９個となっており、全体としてリング状に配置される。第２発光部カバー４２は、第１発光部カバー１１と同様に透光性を有する樹脂により形成される。ただし、第２発光部カバー４２の配置個数はこれに限定されるものではなく、ＬＥＤ基板４０の個数と異なっていてもよい。また、リング状に形成された１つの第２発光部カバーで構成してもよい。
【００２８】
第２発光部カバー４２の幅寸法はＬＥＤ基板４０の幅よりも少し大きい程度の最小限の大きさに設定される。すなわち、第１発光部カバー１１の幅よりも小さな寸法に設定される。これに対して、第１発光部カバー１１の幅（半径方向の長さ）は、支持本体１０の全体を覆う必要があるため、支持本体１０の幅とほぼ同じとなっている。
【００２９】
第２発光素子４１は円周方向に沿って配置されているが、その配置される位置は、ちょうど第１発光素子１３の裏側となっている。ＬＥＤ基板４０の支持本体１０に対する取り付け方法は、ＬＥＤ基板１２の場合と同じでよい。また、ＬＥＤ基板１２の場合と同様に、ＬＥＤ機４０の裏面を直接支持本体１０に固定してもよいし、間にスペーサーを介在させて固定してもよい。
【００３０】
送風器２の構成を説明する。図５に示すように、送風器２は、送風羽根２０を有し中央に配置される円筒部２１と一体形成される。送風器２を駆動するためのモーター２２が設けられており、そのモーター軸２３に円筒部２１が挿入されている。モーター軸２３の先端にはキャップ２４が取り付けられる。送風器２の構成自体は周知の構成を採用することができる。送風器３は、正逆回転をすることができ、必要に応じて、リモコンにより正転と逆転の切り替えを行うことができる。
【００３１】
照明装置を天井に取り付けるためのベース部３が設けられている。ベース部３は、ベース板３０、ベースカバー３１、モーターカバー３２を有している。モーターカバー３２は、モーター２２の周囲をカバーしている。ベースカバー３１とモーターカバー３２は、一体化された部品であってもよいし、別々の部品であってもよい。
【００３２】
ベース部３の内部には、電源回路や駆動制御回路等が搭載されている。送風器３の駆動や照明部１への電源供給などが行われる。
【００３３】
ベース部３と照明部１とを連結するための連結部材６が設けられている。連結部材６は、図６等に示すように３本設けられている。図５に示すように、連結部材６の上端連結部６０は、ベース部３のベースカバー３１に固定される。連結部材６の下端連結部６１は、支持本体１０の裏面側に固定される。また、連結部材６の内部は空洞になっており、ベースカバー３１内の回路と照明部１とを接続するための配線が組み込まれる。図５に示すように、送風羽根２０の上端部２０ａの位置は、下端連結部６１の位置よりも上方（天井側）に位置する。
【００３４】
図１や図４に示すように、送風器２の正面側には、送風器２を保護するためのカバー部５０と、カバー部５を照明部１に固定するためのスポーク５１が３本設けられている。このカバー部５の内部には、図８に示すように、第３発光部を構成する第３発光素子５３が設けられている。第３発光素子５３の照明光は天井側に向けられており、間接照明として機能する。
【００３５】
第３発光部として、ＬＥＤ基板５２、第３発光素子５３が設けられている。第３発光素子５３はリング状に配置されている。第３発光素子５３の構成は、第１発光素子１３や第２発光素子４１と同じでよい。カバー部５０は、正面視で円形を呈しており、図５に示すように、裏面側に透光性を有するカバー部材５４が設けられている。第３発光素子５３の配置個数等は適宜設計変更することができる。
【００３６】
本実施形態に係る照明装置は、リモコンにより操作される。各発光部の点灯・消灯制御や送風器のオン／オフ制御、照明の明るさや送風器２の正逆転及び風量など操作することができる。また、発光部に関しても、任意の発光部を選択して照明することができる。例えば、直接光を照射する第１発光部のみを点灯してもよいし、間接光を照射するいずれかの第２または第３発光部と第１発光部の両方を点灯してもよいし、すべての発光部を点灯してもよいし、間接光のみを点灯するようにしてもよい。
【００３７】
＜別実施形態＞
本実施形態に係る照明装置は、サーキュレーターの機能を有しているが、サーキュレーター（送風器）を有していない一般的なシーリングライトであってもよい。
【００３８】
本実施形態に係る発光素子はいずれもレンズを備えているがレンズを備えていない発光素子を用いてもよい。
【符号の説明】
【００３９】
１        
１０      支持本体
１１      第１発光部カバー
１２      ＬＥＤ基板
１３      第１発光素子
２        送風器
２０      送風羽根
３        ベース部
４０      ＬＥＤ基板
４１      第２発光素子
４２      第２発光部カバー
５０      カバー部
５２      ＬＥＤ基板
５３      第３発光素子
【図１】
0003234849.tif 000003
【図２】
0003234849.tif 000004
【図３】
0003234849.tif 000005
【図４】
0003234849.tif 000006
【図５】
0003234849.tif 000007
【図６】
0003234849.tif 000008
【図７】
0003234849.tif 000009
【図８】
0003234849.tif 000010